(57)【要約】      （修正有）【課題】  電気部品のシールドプレートをグランドの配置位置に左右されずに配置してシールドでき、また、シールドプレートを任意に加工して使用できて手直し作業を簡単に行うことができる電気部品におけるシールドプレートのシールド構造を提供する。【解決手段】  電気部品の差込み口の周囲にシールドプレート３が配設され、このシールドプレート３をグランドに向けてシールドするようにした電気部品におけるシールドプレートのシールド構造において、シールドプレート３の一方側に穴部４ａを有する突出部４が設けられていて、この突出部４の穴部４ａに任意の長さのリード線５の一端の剥き線５ａが半田付けして取り付けられ、このリード線５の他端の剥き線５ｂがグランドに接続されるように構成した。【選択図】  図１
2005064081.tif 000002
【特許請求の範囲】
【請求項１】
電気部品の差込み口の周囲にシールドプレートが配設され、このシールドプレートをグランドに向けてシールドするようにした電気部品におけるシールドプレートのシールド構造において、前記シールドプレートの一方側に穴部を有する突出部が設けられていて、この突出部の穴部に任意の長さのリード線の一端の剥き線が半田付けして取り付けられ、このリード線の他端の剥き線が前記グランドに接続されるように構成したことを特徴とする電気部品におけるシールドプレートのシールド構造。
【請求項２】
電気部品の差込み口の周囲にシールドプレートが配設され、このシールドプレートをグランドに向けてシールドするようにした電気部品におけるシールドプレートのシールド構造において、前記シールドプレートの一方側に突出部が設けられていて、この突出部に任意の長さのリード線の一端の剥き線が半田付けして取り付けられ、このリード線の他端の剥き線が前記グランドに接続されるように構成したことを特徴とする電気部品におけるシールドプレートのシールド構造。
【請求項３】
前記電気部品は、Ｓ端子を備えている請求項２に記載の電気部品におけるシールドプレートのシールド構造。
【請求項４】
前記電気部品はスカートジャックを備えている請求項２に記載の電気部品におけるシールドプレートのシールド構造。
【発明の詳細な説明】
【技術分野】
【０００１】
本発明は、電気部品の差込み口の周囲にシールドプレートが配設され、このシールドプレートをグランドに向けてシールドするようにした電気部品におけるシールドプレートのシールド構造に関するものである。
【背景技術】
【０００２】
従来、この種の電気部品におけるシールドプレートのシールド構造は、シールドプレートはグランドに向けてシールドするために、このシールドプレート自体にグランドに向けてシールドする部分が必要であり、シールドするための柔軟な対応ができないという問題があった。
【０００３】
第１の従来技術を図３に示す。耐熱フィルム上に形成したアースパターン１０４を介して同軸多芯ケーブルの各同軸芯１０１のシールド素線１０２を共通に接続してコネクターのアースにつなぐものである。（例えば、特許文献１参照）。
ところが、これにおいては、シールド素線１０２を近傍箇所のアースパターン１０４に接続するものであるためにこのシールド素線が短くて、アースパターン１０４との距離が離れている場合には対応できないものであった。
【０００４】
第２の従来技術を図４（ａ）（ｂ）に示す。信号コンタクト２１３をマザーボード２０１に複数立設させる。この信号コンタクト列の一側に平板状アースプレート２１４を配設し他側にＬ字状アースプレート２１５を配設した。信号コンタクト２１３はこれを囲む平板状アースプレート２１４およびＬ字状アースプレート２１５によって電磁シールドされることになる。したがって、信号コンタクト２１３はクロストークが生じ難くなり、良好な伝送特性がえられるようになるものである。（例えば、特許文献２参照）。
ところが、これにおいては、信号コンタクト２１３とアースプレート２１４、Ｌ字状アースプレートの配置箇所が決められているものであり、配置位置が異なる場合には、これに柔軟に対応できないものであった。
【０００５】
【特許文献１】特開平５−１７４９０２号公報
【特許文献２】特開平７−２０１４２３号公報
【発明の開示】
【発明が解決しようとする課題】
【０００６】
本発明は、上記従来の問題を解消し、電気部品のシールドプレートをグランドの配置位置に左右されずに配置してシールドでき、また、シールドプレートを任意に加工して使用できて手直し作業を簡単に行うことができる電気部品におけるシールドプレートのシールド構造を提供することを目的としている。
【課題を解決するための手段】
【０００７】
本発明は、上記課題を解決するために提案されたものであって、請求項１に記載の発明は、電気部品の差込み口の周囲にシールドプレートが配設され、このシールドプレートをグランドに向けてシールドするようにした電気部品におけるシールドプレートのシールド構造において、前記シールドプレートの一方側に穴部を有する突出部が設けられていて、この突出部の穴部に任意の長さのリード線の一端の剥き線が半田付けして取り付けられ、このリード線の他端の剥き線が前記グランドに接続されるように構成したことを特徴としている。
【０００８】
請求項２に記載の発明は、電気部品の差込み口の周囲にシールドプレートが配設され、このシールドプレートをグランドに向けてシールドするようにした電気部品におけるシールドプレートのシールド構造において、前記シールドプレートの一方側に突出部が設けられていて、この突出部に任意の長さのリード線の一端の剥き線が半田付けして取り付けられ、このリード線の他端の剥き線が前記グランドに接続されるように構成したことを特徴としている。
請求項３に記載の発明は、前記電気部品は、Ｓ端子を備えている。
請求項４に記載の発明は、前記電気部品はスカートジャックを備えている。
【発明の効果】
【０００９】
以上説明したように、請求項１に記載の発明は、電気部品の差込み口の周囲にシールドプレートが配設され、このシールドプレートをグランドに向けてシールドするようにした電気部品におけるシールドプレートのシールド構造において、シールドプレートの一方側に穴部を有する突出部が設けられていて、この突出部の穴部に任意の長さのリード線の一端の剥き線が半田付けして取り付けられ、このリード線の他端の剥き線がグランドに接続されるように構成したので、以下に述べる効果を奏する。
【００１０】
即ち、シールドプレートをグランドに向けてシールドするときにリード線を用いているので、電気部品のシールドプレートをグランドの配置位置に左右されずに配置してシールドでき、また、シールドプレートを任意に加工して使用できて手直し作業を簡単に行うことができる。
【００１１】
請求項２に記載の発明は、電気部品の差込み口の周囲にシールドプレートが配設され、このシールドプレートをグランドに向けてシールドするようにした電気部品におけるシールドプレートのシールド構造において、シールドプレートの一方側に突出部が設けられていて、この突出部に任意の長さのリード線の一端の剥き線が半田付けして取り付けられ、このリード線の他端の剥き線がグランドに接続されるように構成したので、以下に述べる効果を奏する。
【００１２】
即ち、シールドプレートをグランドに向けてシールドするときにリード線を用いているので、電気部品のシールドプレートをグランドの配置位置に左右されずに配置してシールドでき、また、シールドプレートを任意に加工して使用できて手直し作業を簡単に行うことができる。
【００１３】
請求項３に記載の発明は、電気部品は、Ｓ端子を備えているので、このＳ端子の配置位置にかかわらず、リード線を用いることによって、このＳ端子の周囲のシールドプレートからグランドに向けて容易にシールドすることができる。
【００１４】
請求項４に記載の発明は、電気部品はスカートジャックを備えているので、このスカートジャックの配置位置に係わらず、リード線を用いることによって、このスカートジャックの周囲のシールドプレートからグランドに向けて容易にシールドすることができる。
【発明を実施するための最良の形態】
【００１５】
以下、本発明に係る電気部品におけるシールドプレートのシールド構造の実施の形態について、図を参照しつつ説明する。
図１は本発明の第１実施形態の電気部品におけるシールドプレートのシールド構造を示し、（ａ）はそのリード線をシールドプレートに接続する前の状態を示す一部断面した正面図、（ｂ）はそのリード線をシールドプレートに接続したときの状態を示す一部断面した正面図、（ｃ）は（ｂ）の状態から電気部品とシールドプレートをリアパネルに取り付けた状態の側面図である。
【００１６】
この第１実施形態の電気部品におけるシールドプレートのシールド構造は、図１（ａ）（ｂ）（ｃ）に示すように、電気部品が複数の差込み口１ａを有するＳ端子１を有していて、このＳ端子１は、リアパネル２に取り付けられている。そして、このリアパネル２の内側におけるＳ端子１の周囲にシールドプレート３がビス止めで取り付けられている。
そして、シールドプレート３の一方側に穴部４ａを有する突出部４が設けられていて、この突出部４の穴部４ａに任意の長さのリード線５の一端の剥き線５ａが半田付けして取り付けられ、このリード線５の他端の剥き線５ｂが基板６のグランドに接続されている。
【００１７】
したがって、この第１実施形態によれば、Ｓ端子１の周囲のシールドプレート３をグランドに向けてシールドするときにリード線５を用いているので、電気部品のＳ端子のシールドプレート３をグランドの配置位置に左右されずに配置してシールドでき、また、シールドプレート３を任意に加工して使用できて手直し作業を簡単に行うことができる。
【００１８】
図２は第２実施形態の電気部品におけるシールドプレートを示し、（ａ）はその一部断面した正面図、（ｂ）は（ａ）の状態から電気部品とシールドプレートをリアパネルに取り付けた状態の側面図である。
この第２実施形態の電気部品におけるシールドプレートのシールド構造は、図２（ａ）（ｂ）に示すように、電気部品が複数のピン７ａを有するスカートジャック７を有している。このスカートジャック７はリアパネル２に取り付けられている。そして、このリアパネル２の内側におけるスカートジャック７の周囲にシールドプレート３がビス止めで取り付けられている。
【００１９】
そして、シールドプレート３の一方側に穴部４ａを有する突出部４が設けられていて、この突出部４の穴部４ａに任意の長さのリード線５の一端の剥き線５ａが半田付けして取り付けられ、このリード線５の他端の剥き線５ｂが基板６のグランドに接続されている。
【００２０】
したがって、この第２実施形態によれば、スカートジャック７の周囲のシールドプレート３をグランドに向けてシールドするときにリード線５を用いているので、電気部品のスカートジャック７のシールドプレート３をグランドの配置位置に左右されずに配置してシールドでき、また、シールドプレート３を任意に加工して使用できて手直し作業を簡単に行うことができる。
また、シールドプレート３は、電気部品の形状に応じて任意に加工して使えるので、手直し作業が容易である。
【図面の簡単な説明】
【００２１】
【図１】本発明の第１実施形態の電気部品におけるシールドプレートのシールド構造を示し、（ａ）はそのリード線をシールドプレートに接続する前の状態を示す一部断面した正面図、（ｂ）はそのリード線をシールドプレートに接続したときの状態を示す一部断面した正面図、（ｃ）は（ｂ）の状態から電気部品とシールドプレートをリアパネルに取り付けた状態の側面図である。
【図２】第２実施形態の電気部品におけるシールドプレートを示し、（ａ）はその一部断面した正面図、（ｂ）は（ａ）の状態から電気部品とシールドプレートをリアパネルに取り付けた状態の側面図である。
【図３】従来の同軸多芯ケーブルとコネクターの接続構造を示す斜視図である。
【図４】従来の基板用コネクタを示し、（ａ）はその信号コネクタとＬ字状アースプレートの構造を示す正面図、（ｂ）はその絶縁ハウジングに信号コンタクトやアースプレートを組み込んだ状態の平面図である。
【符号の説明】
【００２２】
１              Ｓ端子
１ａ            差込み口
２              リアパネル
３              シールドプレート
４              突出部
４ａ            穴部
５              リード線
５ａ            一端の剥き線
５ｂ            他端の剥き線
６              基板
７              スカートジャック
７ａ            ピン
【図１】
2005064081.tif 000003
【図２】
2005064081.tif 000004
【図３】
2005064081.tif 000005
【図４】
2005064081.tif 000006